(57)【要約】【課題】大型化を抑えつつ、高い接続信頼性で電子機器ユニットへ接続することが可能なコネクタを提供すること。【解決手段】ケース２１に設けられた開口部３１を塞ぐようにケース２１に組み付けられるエスカッション６２と、エスカッション６２のケース２１への装着側に組み付けられるコネクタアッシー６１と、を備え、コネクタアッシー６１は、相手方コネクタに導通接続される端子７１と、一端部が端子７１に着脱可能に接続され、中間部がケース２１内に設けられる基板２４の表面に沿って延在され、他端部が基板２４に接続される中継端子８１と、を有する。【選択図】図３
2016024862.tif 000002
【特許請求の範囲】
【請求項１】
電子機器ユニットのケースに対して取付可能なコネクタであって、
前記ケースに設けられた開口を塞ぐように前記ケースに組み付けられるエスカッションと、
前記エスカッションの前記ケースへの装着側に組み付けられるコネクタアッシーと、
を備え、
前記コネクタアッシーは、相手方コネクタに導通接続される端子と、
一端部が前記端子に着脱可能に接続され、他端部が前記ケースに設けられた基板に接続される中継端子と、を有し、
前記中継端子は、前記エスカッションの前記ケースへの装着方向に前記基板を視たとき、前記一端部及び前記他端部の位置が異なる、
ことを特徴とするコネクタ。
【請求項２】
前記中継端子は、前記一端部及び前記他端部それぞれに連結される中間部をさらに有し、前記中間部が前記ケース内に設けられる基板に平行に延在される、
ことを特徴とする請求項１に記載のコネクタ。
【請求項３】
前記端子は、平板部と、該平板部の両側部を互いに近接する方向へ折り返すことで形成されて外側へ向かって円弧状に湾曲された一対の弾性係止部と、前記平板部と前記弾性係止部との間が嵌合部とされた嵌合接続部と、を有し、
前記中継端子は、その一端部に、前記嵌合部へ挿し込まれることで前記弾性係止部の弾性力によって前記平板部と前記弾性係止部とで挟持される板状の接続タブ部を有する
ことを特徴とする請求項２に記載のコネクタ。
【請求項４】
前記端子は、内導体と外導体とを有し、
前記内導体及び前記外導体にそれぞれ前記中継端子が接続され、
前記中継端子は、中継ハウジングに形成されて互いに区画された収容部にそれぞれ収容されている
ことを特徴とする請求項１から３のいずれか１項に記載のコネクタ。
【請求項５】
前記電子機器ユニットは、レンズを有するカメラモジュールであり、
前記基板には、前記レンズの光軸上に配置される撮像素子が実装されている
ことを特徴とする請求項１から４のいずれか１項に記載のコネクタ。
【請求項６】
電子機器ユニットのケースに設けられた開口を塞ぐように前記ケースに組み付けられるエスカッションと、前記エスカッションの前記ケースへの装着側に組み付けられるコネクタアッシーと、を備え、前記コネクタアッシーが、相手方コネクタに導通接続される端子と、一端部が前記端子に着脱可能に接続され、他端部が前記ケースに設けられた基板に接続される中継端子と、を有し、前記中継端子が、前記エスカッションの前記ケースへの装着方向に前記基板を視たとき、前記一端部及び前記他端部の位置が異なり、且つ前記中継端子が、中継ハウジングに形成されて互いに区画された収容部に収容されたコネクタを用意し、
前記中継端子の他端部が前記ケースに設けられた基板の所定箇所に位置するように、前記ケースに対して前記コネクタを取り付ける
ことを特徴とするコネクタの取付方法。
【発明の詳細な説明】
【技術分野】
【０００１】
本発明は、例えば、カメラモジュールなどの電子機器ユニットのケースに取り付けられるコネクタ及びコネクタの取付方法に関する。
【背景技術】
【０００２】
モジュール機器とコネクタとの接続構造として、モジュール機器の基板を装着する基板取付部と外部接続するコネクタ嵌合部とを有し、モジュール機器と嵌合させて取り付ける際に、モジュール機器の基板から突出させた弾性接触片を基板取付部に設けられた基板接続部に弾性接触させて電気接続するものがある（例えば、特許文献１参照）。
【先行技術文献】
【特許文献】
【０００３】
【特許文献１】特開２００８−１７０８０１号公報
【発明の概要】
【発明が解決しようとする課題】
【０００４】
上記構造では、モジュール機器とコネクタとの嵌合方向に直交する方向への位置ずれに追従させることが可能であるが、モジュール機器の弾性接触片をコネクタの基板接続部に弾性接触させるためのスペースが必要であり、装置の大型化を招いてしまう。また、基板接続部への弾性接触片の接触箇所における接触不良による導通不良が生じ、接続信頼性が低下するおそれがある。
【０００５】
本発明は、上述した事情に鑑みてなされたものであり、その目的は、モジュール機器とコネクタとの嵌合方向に直交する方向への位置ずれに追従させ、且つ大型化を抑えつつ、高い接続信頼性で電子機器ユニットへ接続することが可能なコネクタ及びコネクタの取付方法を提供することにある。
【課題を解決するための手段】
【０００６】
前述した目的を達成するために、本発明に係るコネクタは、下記（１）〜（５）を特徴としている。
（１）  電子機器ユニットのケースに対して取付可能なコネクタであって、
前記ケースに設けられた開口を塞ぐように前記ケースに組み付けられるエスカッションと、
前記エスカッションの前記ケースへの装着側に組み付けられるコネクタアッシーと、
を備え、
前記コネクタアッシーは、相手方コネクタに導通接続される端子と、
一端部が前記端子に着脱可能に接続され、他端部が前記ケースに設けられた基板に接続される中継端子と、を有し、
前記中継端子は、前記エスカッションの前記ケースへの装着方向に前記基板を視たとき、前記一端部及び前記他端部の位置が異なる、
ことを特徴とするコネクタ。
（２）  前記中継端子は、前記一端部及び前記他端部それぞれに連結される中間部をさらに有し、前記中間部が前記ケース内に設けられる基板に平行に延在される、
ことを特徴とする上記（１）に記載のコネクタ。
（３）  前記端子は、平板部と、該平板部の両側部を互いに近接する方向へ折り返すことで形成されて外側へ向かって円弧状に湾曲された一対の弾性係止部と、前記平板部と前記弾性係止部との間が嵌合部とされた嵌合接続部と、を有し、
前記中継端子は、その一端部に、前記嵌合部へ挿し込まれることで前記弾性係止部の弾性力によって前記平板部と前記弾性係止部とで挟持される板状の接続タブ部を有する
ことを特徴とする上記（２）に記載のコネクタ。
（４）  前記端子は、内導体と外導体とを有し、
前記内導体及び前記外導体にそれぞれ前記中継端子が接続され、
前記中継端子は、中継ハウジングに形成されて互いに区画された収容部にそれぞれ収容されている
ことを特徴とする上記（１）から（３）のいずれか１項に記載のコネクタ。
（５）  前記電子機器ユニットは、レンズを有するカメラモジュールであり、
前記基板には、前記レンズの光軸上に配置される撮像素子が実装されている
ことを特徴とする上記（１）から（４）のいずれか１項に記載のコネクタ。
【０００７】
上記（１）の構成のコネクタでは、中継端子は、エスカッションのケースへの装着方向に基板を視たとき、一端部及び他端部の位置が異なる。これにより、端子に対して基板の位置が基板の面方向へ変位したとしても、中継端子が撓むことで、その変位に追従させ、端子と基板との良好な接続状態を維持することができる。
また、モジュール機器の弾性接触片をコネクタの基板接続部に押し付けて弾性接触させる構造のように、弾性接触片と基板接続部とを接触させるためのスペースを要するものと比較して、大型化を抑えつつ、接触不良による導通不良の発生を抑制できる。
上記（２）の構成のコネクタでは、一端部及び他端部それぞれに連結される中間部が基板の表面に沿って延在されている。これにより、端子に対して基板の位置が基板の面方向へ変位したとしても、中継端子が撓むことで、その変位に追従させ、端子と基板との良好な接続状態を維持することができる。
また、モジュール機器の弾性接触片をコネクタの基板接続部に押し付けて弾性接触させる構造のように、弾性接触片と基板接続部とを接触させるためのスペースを要するものと比較して、大型化を抑えつつ、接触不良による導通不良の発生を抑制できる。
上記（３）の構成のコネクタでは、中継端子の板状の接続タブ部が嵌合接続部の平板部と弾性係止部とで挟持されることで、端子と中継端子とが接続されるので、端子の嵌合接続部に対して中継端子の接続タブ部が僅かに変位可能とされる。したがって、基板の面方向への変位に対する追従性を高めることができる。
上記（４）の構成のコネクタでは、中継端子が中継ハウジングに形成されて互いに区画された収容部にそれぞれ収容されているので、中継端子が撓んでも互いに接触するような不具合をなくすことができる。また、基板への接続前に中継端子が外力などによって変形するような不具合もなくすことができ、よって、基板へ円滑に接続させることができる。
上記（５）の構成のコネクタでは、端子と基板との良好な接続状態を維持しつつ端子と基板との位置ずれを許容することができるので、レンズの光軸上に撮像素子を良好に位置決めし、カメラモジュールの性能を良好なものに維持することができる。
【０００８】
前述した目的を達成するために、本発明に係るコネクタの取付方法は、下記（６）を特徴としている。
（６）  電子機器ユニットのケースに設けられた開口を塞ぐように前記ケースに組み付けられるエスカッションと、前記エスカッションの前記ケースへの装着側に組み付けられるコネクタアッシーと、を備え、前記コネクタアッシーが、相手方コネクタに導通接続される端子と、一端部が前記端子に着脱可能に接続され、他端部が前記ケースに設けられた基板に接続される中継端子と、を有し、前記中継端子が、前記エスカッションの前記ケースへの装着方向に前記基板を視たとき、前記一端部及び前記他端部の位置が異なり、且つ前記中継端子が、中継ハウジングに形成されて互いに区画された収容部に収容されたコネクタを用意し、
前記中継端子の他端部が前記ケースに設けられた基板の所定箇所に位置するように、前記ケースに対して前記コネクタを取り付ける
ことを特徴とするコネクタの取付方法。
【０００９】
上記（６）の構成のコネクタの取付方法では、中継端子は、エスカッションのケースへの装着方向に基板を視たとき、一端部及び他端部の位置が異なる。これにより、端子に対して基板の位置が基板の面方向へ変位したとしても、中継端子が撓むことで、その変位に追従させ、端子と基板との良好な接続状態を維持することができる。
また、モジュール機器の弾性接触片をコネクタの基板接続部に押し付けて弾性接触させる構造のように、弾性接触片と基板接続部とを接触させるためのスペースを要するものと比較して、大型化を抑えつつ、接触不良による導通不良の発生を抑制できる。
また、中継ハウジングがコネクタに設けられているため、中継ハウジングが基板に設けられている場合と比べて、コネクタをケースに取り付ける際に基板を視認し易い。このため、中継端子の他端部が位置するべき基板上の所定箇所を視認することが容易になり、コネクタをケースに組み付ける作業性を向上させることができる。これは、中継端子が複雑な形状であったとしても同様の効果を奏する。このため、中継端子の設計自由度を向上させつつ、コネクタをケースに組み付ける作業性を向上させることができる。
【発明の効果】
【００１０】
本発明によれば、大型化を抑えつつ、高い接続信頼性で電子機器ユニットへ接続することが可能なコネクタを提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本実施形態に係るコネクタを備えたカメラモジュールの斜視図である。
【図２】図２は、本実施形態に係るコネクタを備えたカメラモジュールの正面側から視た斜視図である。
【図３】図３は、本実施形態に係るコネクタを備えたカメラモジュールの断面図である。
【図４】図４は、本実施形態に係るコネクタの分解斜視図である。
【図５】図５は、コネクタを構成するコネクタアッシーが組み付けられたエスカッションの裏面側から視た斜視図である。
【図６】図６は、コネクタを構成するコネクタアッシー及びエスカッションの裏面側から視た斜視図である。
【図７】図７は、コネクタアッシーの斜視図である。
【図８】図８は、コネクタアッシーの分解斜視図である。
【図９】図９は、コネクタアッシーを構成する端子の斜視図である。
【図１０】図１０は、コネクタアッシーを構成する端子の断面図である。
【図１１】図１１は、コネクタアッシーを構成する端子の分解斜視図である。
【図１２】図１２は、端子を構成する内導体及び外導体の斜視図である。
【図１３】図１３は、中継接続部材を示す図であって、図１３（ａ）は正面側から視た斜視図、図１３（ｂ）は裏面側から視た斜視図である。
【図１４】図１４は、中継接続部材の断面図である。
【図１５】図１５は、中継接続部材を示す図であって、図１５（ａ）は正面図、図１５（ｂ）は側面図、図１５（ｃ）は背面図である。
【図１６】図１６は、絶縁体を除いた端子及び端子に接続される中継端子の斜視図である。
【図１７】図１７は、絶縁体を除いた端子及び端子に接続された中継端子の斜視図である。
【発明を実施するための形態】
【００１３】
以下、本発明に係る実施の形態の例を、図面を参照して説明する。
【００１４】
図１は、本実施形態に係るコネクタを備えたカメラモジュールの斜視図である。図２は、本実施形態に係るコネクタを備えたカメラモジュールの正面側から視た斜視図である。
【００１５】
図１及び図２に示すように、本実施形態に係るコネクタ１１は、カメラモジュール（電子機器ユニット）１２に取り付けることができる。具体的には、カメラモジュール１２は、カメラレンズ４３とは反対側の面が開口しており、コネクタ１１はこの開口に取り付けられる。コネクタ１１は、一方の側がカメラモジュール１２に取り付けられ、他方の側が相手方コネクタと嵌合可能な形状である。図示しないが、相手方コネクタは、制御機器（図示略）等から延びる電線を有している。コネクタ１１は、接続部１１ａを有しており、接続部１１ａが相手方コネクタと嵌合することによって後述するコネクタアッシー６１が電線と電気的に接続される。こうして、電線を介して制御機器とカメラモジュール１２との信号の送受信が行われる。
【００１６】
図３は、本実施形態に係るコネクタを備えたカメラモジュールの断面図である。図４は、本実施形態に係るコネクタの分解斜視図である。図５は、コネクタを構成するコネクタアッシーが組み付けられたエスカッションの裏面側から視た斜視図である。図６は、コネクタを構成するコネクタアッシー及びエスカッションの裏面側から視た斜視図である。
【００１７】
図３に示すように、カメラモジュール１２は、ケース２１と、レンズユニット２２と、固定筒体２３と、基板２４とを有している。
【００１８】
ケース２１は、合成樹脂から成形されたもので、一端側が開口された箱型に形成されている。
【００１９】
ケース２１には、開口部３１と反対側の底部３２に、孔部３３が形成されている。レンズユニット２２及び固定筒体２３は、ケース２１の開口部３１側からケース２１内に組み込まれている。
【００２０】
レンズユニット２２は、平板部４１と、この平板部４１の一方の面の中央部分に突出する光学機構部４２とを有している。光学機構部４２の先端部には、正面視円形のカメラレンズ（レンズ）４３が設けられている。
【００２１】
固定筒体２３は、ケース２１内に嵌合される略角筒状に形成された筒部本体５１を有している。筒部本体５１は、例えば導体で形成され、ケース２１内へ伝搬する電磁波を遮蔽する役割を果たす。この筒部本体５１は、内側へ突出する位置決め突起５２を有している。
【００２２】
基板２４は、第１基板５５と第２基板５６とから構成されている。第１基板５５と第２基板５６とは、剛性を有する連結部材５７によって連結されて互いに間隔をあけて配置されている。第１基板５５には、スルーホール５５ａが形成されている。第２基板５６には、第１基板５５と反対側における中央部分に、例えば、ＣＣＤ（Charge Coupled Device）イメージセンサなどの撮像素子５８が実装されている。連結部材５７には、信号線用の導体とアース線用の導体とが備わっており、第１基板５５及び第２基板５６は、連結部材５７に備わる信号線用の導体及びアース線用の導体を介して電気的に接続される。
【００２３】
レンズユニット２２、固定筒体２３及び基板２４をケース２１に装着する手順は次のとおりである。まず、固定筒体２３が、レンズユニット２２に対して平板部４１側から嵌め込まれてレンズユニット２２に装着される。そして、このレンズユニット２２に装着された固定筒体２３をケース２１の後方から嵌め込むことで、レンズユニット２２及び固定筒体２３がケース２１内に装着される。このようにレンズユニット２２をケース２１に組み込んだとき、カメラレンズ４３はケース２１の孔部３３で露出する位置にある。この状態で、レンズユニット２２は、その平板部４１の後方側が固定筒体２３の位置決め突起５２によって係止される。ケース２１の内形と固定筒体２３の外形を同程度の設計としケース２１に対して固定筒体２３を固定することにより、レンズユニット２２は、位置決め突起５２及び孔部３３によって所望の位置に配置することができる。
【００２４】
次に、ケース２１の開口部３１側に、基板２４を嵌め合わせる。このようにすると、基板２４がケース２１内に収容され、第２基板５６が嵌合方向に位置決め突起５２に当接して位置決めされる。これにより、第２基板５６の撮像素子５８がレンズユニット２２の平板部４１の対向位置に配置される。
【００２５】
図３から図６に示すように、コネクタ１１は、コネクタアッシー６１と、エスカッション６２とを有している。
【００２６】
エスカッション６２は、合成樹脂から成形されたもので、平面視矩形状に形成されている。エスカッション６２は、ケース２１の開口部３１を覆うようにケース２１に装着される部材である。エスカッション６２には、ケース２１への装着側からコネクタアッシー６１が組み付けられる。
【００２７】
エスカッション６２は、板状部９１と、この板状部９１のケース２１と反対側の面における中央部分に形成された接続筒部９２と、板状部９１の外縁からケース２１側へ延びる周壁９０とを有している。板状部９１は、中央部分に挿通孔９３を有しており、この挿通孔９３は、接続筒部９２に連通されている。接続筒部９２には、その一側面に、相手方コネクタに設けられた係止孔（図示略）に係止可能な係止部９２ａが形成されている。板状部９１には、装着側の面に、一対の位置決め棒部９４が形成されている。
【００２８】
また、エスカッション６２は、ケース２１への装着側とは反対側におけるそれぞれの角部に、窪み部６２ａを有している。エスカッション６２の各角部には、ネジ挿通孔９９が形成されており、これらのネジ挿通孔９９が窪み部６２ａで開口されている。これらのネジ挿通孔９９には、コネクタ１１をカメラモジュール１２のケース２１に固定するためのネジ１００（図１参照）が挿入される。このネジ挿通孔９９に挿通させたネジ１００は、ケース２１の開口部３１側の縁部における各角部に形成されたネジ孔３４（図４参照）へねじ込まれ、これにより、ケース２１にエスカッション６２が固定される。
【００２９】
エスカッション６２は、ケース２１の開口部３１側から装着される。これにより、ケース２１は、開口部３１がエスカッション６２の板状部９１によって塞がれる。また、このエスカッション６２をケース２１へ装着することで、ケース２１の縁部に設けられたシール部材６３（図３参照）がエスカッション６２の周壁９０に密着する。これにより、ケース２１とエスカッション６２との間がシール部材６３によってシールされる。
【００３０】
図７は、コネクタアッシーの斜視図である。図８は、コネクタアッシーの分解斜視図である。
図７及び図８に示すように、コネクタアッシー６１は、端子７１と、ハウジング７２と、中継接続部材７３とを有している。
【００３１】
ハウジング７２は、合成樹脂から形成されたもので、円筒状に形成されている。このハウジング７２は、その外周側に、Ｏリング７０が取り付けられる。このハウジング７２には、その内部に端子７１が挿し込まれて収容される。端子７１を収容したハウジング７２は、エスカッション６２の板状部９１の挿通孔９３へ挿し込まれる。これにより、ハウジング７２に挿し込まれた端子７１が、エスカッション６２の接続筒部９２内に収容される。そして、コネクタ１１は、相手方コネクタが接続される接続部１１ａが、接続筒部９２と端子７１とで構成される。また、ハウジング７２には、端子７１の後述する絶縁体７６に形成された係止片７９ｂが嵌合する係止凹部７２ａが形成されている。
【００３２】
図９は、コネクタアッシーを構成する端子の斜視図である。図１０は、コネクタアッシーを構成する端子の断面図である。図１１は、コネクタアッシーを構成する端子の分解斜視図である。図１２は、端子を構成する内導体及び外導体の斜視図である。
【００３３】
図９から図１１に示すように、端子７１は、内導体７４と、外導体７５と、絶縁体７６とを有している。内導体７４及び外導体７５は、導電性を有する金属材料から形成され、絶縁体７６は絶縁性を有する樹脂材料から形成されている。絶縁体７６は、内導体７４の周囲に設けられており、この絶縁体７６の周囲に、円筒状の外導体７５が設けられている。これにより、内導体７４と外導体７５とが絶縁体７６によって絶縁された状態で一体化されている。
【００３４】
図１２に示すように、内導体７４は、その端部に、嵌合接続部７７を有している。嵌合接続部７７は、平板部７７ａと一対の弾性係止部７７ｂとを有している。弾性係止部７７ｂは、平板部７７ａの両側部を互いに近接する方向へ折り返すことで形成されたもので、外側へ向かって円弧状に湾曲されている。この嵌合接続部７７は、平板部７７ａと一対の弾性係止部７７ｂとの間が、嵌合部７７ｃとされている。
【００３５】
外導体７５は、その端部に、嵌合接続部７８を有している。嵌合接続部７８は、平板部７８ａと一対の弾性係止部７８ｂとを有している。弾性係止部７８ｂは、平板部７８ａの両側部を互いに近接する方向へ折り返すことで形成されたもので、外側へ向かって円弧状に湾曲されている。この嵌合接続部７８は、平板部７８ａと一対の弾性係止部７８ｂとの間が、嵌合部７８ｃとされている。
【００３６】
絶縁体７６は、その端部に、収容部７９を有している。収容部７９には、内導体７４の嵌合接続部７７及び外導体７５の嵌合接続部７８を収容する収容空間７９ａが形成されている。また、収容部７９には、側面に、係止片７９ｂが形成されており、この係止片７９ｂは、ハウジング７２に形成された係止凹部７２ａに嵌合して係止される（図８参照）。
【００３７】
図１３は、中継接続部材を示す図であって、図１３（ａ）は正面側から視た斜視図、図１３（ｂ）は裏面側から視た斜視図である。図１４は、中継接続部材の断面図である。図１５は、中継接続部材を示す図であって、図１５（ａ）は正面図、図１５（ｂ）は側面図、図１５（ｃ）は背面図である。
【００３８】
図１３から図１５に示すように、中継接続部材７３は、二つの中継端子８１と、これらの中継端子８１を収容する中継ハウジング８２とを有している。中継接続部材７３は、端子７１の端部に装着される。中継接続部材７３は、端子７１に対して着脱可能とされている。
【００３９】
中継端子８１は、導電性を有する金属材料から形成されている。中継端子８１は、長尺に形成された端子本体８３を有している。端子本体８３には、一端部に接続タブ部８４が形成され、他端部に接続ピン部８５が形成されている。接続タブ部８４と接続ピン部８５は、それぞれ端子本体８３から逆方向へ突出されている。接続タブ部８４は、板状に形成されており、接続ピン部８５は、棒状に形成されている。接続タブ部８４と接続ピン部８５は、中継端子８１が基板２４に取り付けられた際の、エスカッション６２のケース２１への装着方向に基板２４を視たときに、異なる位置に配置される形状である。接続タブ部８４と接続ピン部８５に連結された端子本体８３は、軸心方向に対してピッチ方向またはヨー方向に端子本体８３が若干曲がることができ、さらに、軸方向に対してロール方向に捩ることができる。これにより、端子７１に対して基板２４の位置が基板２４の面方向へ変位したとしても、中継端子８１が撓むことで、その変位に追従させ、端子７１と基板２４との良好な接続状態を維持することができる。
【００４０】
中継ハウジング８２は、絶縁性を有する合成樹脂から形成されたもので、平面視矩形状に形成されている。中継ハウジング８２には、端子７１側に、二つの中継端子収容部（収容部）８６を有している。これらの中継端子収容部８６は互いに区画されており、それぞれの端部に、表裏に貫通する貫通孔８７が形成されている。貫通孔８７には、中継端子８１の接続ピン部８５が挿し込まれ、接続ピン部８５が中継ハウジング８２における中継端子収容部８６と反対側である背面側に突出されている。そして、この中継端子８１は、貫通孔８７に接続ピン部８５が挿し込まれた状態で、中継ハウジング８２の互いに区画された中継端子収容部８６に収容されている。貫通孔８７は、接続ピン部８５の外形よりも僅かに大きいため、この貫通孔８７を貫通する接続ピン部８５は、貫通孔８７の中で若干撓むことができる。中継端子８１は、中継ハウジング８２内に位置したとしても変形が許容される。
【００４１】
図１６は、絶縁体を除いた端子及び端子に接続される中継端子の斜視図である。図１７は、絶縁体を除いた端子及び端子に接続された中継端子の斜視図である。
【００４２】
図１６及び図１７に示すように、中継接続部材７３の各中継端子８１は、その接続タブ部８４が、内導体７４及び外導体７５の嵌合接続部７７，７８の嵌合部７７ｃ，７８ｃに挿し込まれる。接続タブ部８４は、嵌合部７７ｃ，７８ｃに挿し込まれた状態で平板部７７ａ，７８ａと一対の弾性係止部７７ｂ，７８ｂとで挟持される。これにより、内導体７４及び外導体７５を有する端子７１に対して中継接続部材７３が接続される。
【００４３】
この中継接続部材７３の各中継端子８１は、その接続ピン部８５が基板２４の第１基板５５に形成されたスルーホール５５ａに挿し込まれて半田付けされる。これにより、端子７１の内導体７４及び外導体７５が、中継端子８１を介して基板２４の第１基板５５の回路パターンに導通される。接続ピン部８５が基板２４の第１基板５５に接続された状態で、中継端子８１は、その長尺の端子本体８３が、基板２４の第１基板５５の表面に沿って配置される。
【００４４】
コネクタアッシー６１をエスカッション６２に装着するには、エスカッション６２のケース２１への装着側からコネクタアッシー６１のハウジング７２を挿通孔９３へ挿し込み、ハウジング７２を接続筒部９２内に収容させる。これにより、接続筒部９２と、ハウジング７２に収容された端子７１とからなる接続部１１ａが構成される。このとき、コネクタアッシー６１の中継接続部材７３を、エスカッション６２の板状部９１に形成された位置決め棒部９４の間に嵌め込む。これにより、エスカッション６２に対して中継接続部材７３が所定位置に位置決めされる。
【００４５】
次に、コネクタ１１をカメラモジュール１２へ組み付ける場合について説明する。
【００４６】
カメラモジュール１２に対してコネクタ１１を組み付けるには、まず、コネクタ１１の中継接続部材７３の中継端子８１を基板２４に接続する。具体的には、中継ハウジング８２の背面側から突出している中継端子８１の接続ピン部８５を、基板２４の第１基板５５のスルーホール５５ａに挿し込んで半田付けする。このようにすると、コネクタ１１に基板２４が装着される。基板２４に中継接続部材７３を接続する際には、中継接続部材７３の中継端子８１の接続タブ部８４を内導体７４及び外導体７５の嵌合接続部７７，７８の嵌合部７７ｃ，７８ｃから引き抜くことで、端子７１から分離させた状態で行っても良い。
【００４７】
コネクタ１１に基板２４を装着したら、カメラモジュール１２のケース２１の開口部３１側に、コネクタ１１を基板２４側から嵌め合わせる。このようにすると、ケース２１の開口部３１がエスカッション６２によって塞がれるとともに、基板２４がケース２１内に収容され、第２基板５６が位置決め突起５２に当接して位置決めされる。これにより、第２基板５６の撮像素子５８がレンズユニット２２の平板部４１の対向位置に配置される。
【００４８】
このとき、レンズユニット２２の撮像方向から視たときにケース２１に対して基板２４の位置を上下左右に調整する。こうして、撮像素子５８とレンズユニット２２のカメラレンズ４３とが正確な位置で対向するように光軸調整を行う。
【００４９】
その後、エスカッション６２のネジ挿通孔９９へネジ１００を挿入し、ケース２１のネジ孔３４へねじ込み、コネクタ１１をカメラモジュール１２のケース２１に固定する。この状態で、ケース２１の開口部３１がエスカッション６２の板状部９１によって塞がれ、ケース２１とエスカッション６２との間がシール部材６３によってシールされる。これにより、カメラモジュール１２内が防水される。
【００５０】
以上、説明したように、本実施形態に係るコネクタによれば、一端部の接続タブ部８４が端子７１の内導体７４及び外導体７５に着脱可能に接続され、中間部の端子本体８３が基板２４の表面に沿って延在され、他端部の接続ピン部８５が基板２４の第１基板５５に接続される中継端子８１を設けている。これにより、端子７１に対して基板２４の位置が基板２４の面方向へ変位したとしても、中継端子８１が撓むことで、その変位に追従させ、端子７１と基板２４との良好な接続状態を維持することができる。
【００５１】
また、モジュール機器の弾性接触片をコネクタの基板接続部に押し付けて弾性接触させる構造のように、弾性接触片と基板接続部とを接触させるためのスペースを要するものと比較して、大型化を抑えつつ、接触不良による導通不良の発生を抑制できる。
【００５２】
これにより、端子７１と基板２４との良好な接続状態を維持しつつ端子７１と基板２４との位置ずれを許容することができるので、カメラレンズ４３の光軸上に撮像素子５８を良好に位置決めし、カメラモジュール１２の性能を良好なものに維持することができる。
【００５３】
また、中継端子８１の板状の接続タブ部８４が端子７１の内導体７４及び外導体７５の嵌合接続部７７，７８の平板部７７ａ，７８ａと弾性係止部７７ｂ，７８ｂとで挟持されて端子７１の内導体７４及び外導体７５と中継端子８１とが接続されるので、内導体７４及び外導体７５の嵌合接続部７７，７８に対して中継端子８１の接続タブ部８４が僅かに変位可能とされる。したがって、基板２４の面方向への変位に対する追従性を高めることができる。
【００５４】
しかも、中継端子８１が中継ハウジング８２に形成されて互いに区画された中継端子収容部８６にそれぞれ収容されて区画されているので、中継端子８１が撓んでも互いに接触するような不具合をなくすことができる。また、基板２４への接続前に中継端子８１が外力などによって変形するような不具合もなくすことができ、よって、基板２４へ円滑に接続させることができる。
【００５５】
また、中継端子８１を設けることで、基板２４の第１基板５５におけるコネクタ１１との接続箇所を、中央から外れた位置にすることができる。これにより、第１基板５５の中央における実装制限をなくすことができ、第１基板５５における中央部分に電子部品等を容易に実装できる。
【００５６】
また、中継ハウジング８２がコネクタ１１に設けられているため、中継ハウジングが基板に設けられている場合と比べて、コネクタ１１をケース２１に取り付ける際に基板２４を視認し易い。このため、中継端子８１の他端部が位置するべき基板上の所定箇所を視認することが容易になり、コネクタ１１をケース２１に組み付ける作業性を向上させることができる。これは、中継端子８１が複雑な形状であったとしても同様の効果を奏する。このため、中継端子８１の設計自由度を向上させつつ、コネクタ１１をケース２１に組み付ける作業性を向上させることができる。
【００５７】
なお、コネクタ１１の形状は、組み付けられるカメラモジュール１２や接続される相手方コネクタの形状に応じて変わる必要があるが、本実施形態に係るコネクタ１１では、形状が異なる複数種類のコネクタアッシー６１及びエスカッション６２を用意しておけば、これらの部品を組み合わせることにより、様々な形状のカメラモジュール１２及び相手方コネクタに対応可能なコネクタ１１を実現することができる。
【００５８】
また、上記実施形態では、コネクタ１１をカメラモジュール１２に組み付ける場合を例にとって説明したが、コネクタ１１を組み付ける電子機器ユニットは、カメラモジュールに限らない。
【００５９】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６０】
ここで、上述した本発明に係るコネクタ及びコネクタの取付方法の実施形態の特徴をそれぞれ以下（１）〜（６）に簡潔に纏めて列記する。
（１）  電子機器ユニット（カメラモジュール１２）のケース（２１）に対して取付可能なコネクタ（１１）であって、
前記ケースに設けられた開口（開口部３１）を塞ぐように前記ケースに組み付けられるエスカッション（６２）と、
前記エスカッションの前記ケースへの装着側に組み付けられるコネクタアッシー（６１）と、
を備え、
前記コネクタアッシーは、相手方コネクタに導通接続される端子（７１）と、
一端部が前記端子に着脱可能に接続され、他端部が前記ケースに設けられた基板（２４）に接続される中継端子（８１）と、を有し、
前記中継端子は、前記エスカッションの前記ケースへの装着方向に前記基板を視たとき、前記一端部及び前記他端部の位置が異なる、
ことを特徴とするコネクタ。
（２）  前記中継端子は、前記一端部及び前記他端部それぞれに連結される中間部をさらに有し、前記中間部が前記ケース内に設けられる基板に平行に延在される、
ことを特徴とする上記（１）に記載のコネクタ。
（３）  前記端子は、平板部（７７ａ，７８ａ）と、該平板部の両側部を互いに近接する方向へ折り返すことで形成されて外側へ向かって円弧状に湾曲された一対の弾性係止部（７７ｂ，７８ｂ）と、前記平板部と前記弾性係止部との間が嵌合部（７７ｃ，７８ｃ）とされた嵌合接続部（７７，７８）と、を有し、
前記中継端子は、その一端部に、前記嵌合部へ挿し込まれることで前記弾性係止部の弾性力によって前記平板部と前記弾性係止部とで挟持される板状の接続タブ部（８４）を有する
ことを特徴とする上記（２）に記載のコネクタ。
（４）  前記端子（７１）は、内導体（７４）と外導体（７５）とを有し、
前記内導体（７４）及び前記外導体（７５）にそれぞれ前記中継端子（８１）が接続され、
前記中継端子（８１）は、中継ハウジング（８２）に形成されて互いに区画された収容部（中継端子収容部８６）にそれぞれ収容されている
ことを特徴とする上記（１）から（３）のいずれか１項に記載のコネクタ。
（５）  前記電子機器ユニットは、レンズ（カメラレンズ４３）を有するカメラモジュール（１２）であり、
前記基板（２４）には、前記レンズ（カメラレンズ４３）の光軸上に配置される撮像素子（５８）が実装されている
ことを特徴とする（１）から（３）のいずれか１項に記載のコネクタ。
（６）  電子機器ユニットのケースに設けられた開口を塞ぐように前記ケースに組み付けられるエスカッションと、前記エスカッションの前記ケースへの装着側に組み付けられるコネクタアッシーと、を備え、前記コネクタアッシーが、相手方コネクタに導通接続される端子と、一端部が前記端子に着脱可能に接続され、他端部が前記ケースに設けられた基板に接続される中継端子と、を有し、前記中継端子が、前記エスカッションの前記ケースへの装着方向に前記基板を視たとき、前記一端部及び前記他端部の位置が異なり、且つ前記中継端子が、中継ハウジングに形成されて互いに区画された収容部に収容されたコネクタを用意し、
前記中継端子の他端部が前記ケースに設けられた基板の所定箇所に位置するように、前記ケースに対して前記コネクタを取り付ける
ことを特徴とするコネクタの取付方法。
【符号の説明】
【００６１】
１１  コネクタ
１２  カメラモジュール（電子機器ユニット）
２１  ケース
２４  基板
３１  開口部（開口）
４３  カメラレンズ（レンズ）
５８  撮像素子
６１  コネクタアッシー
６２  エスカッション
７１  端子
７４  内導体
７５  外導体
７７，７８  嵌合接続部
７７ａ，７８ａ  平板部
７７ｂ，７８ｂ  弾性係止部
７７ｃ，７８ｃ  嵌合部
８１  中継端子
８２  中継ハウジング
８４  接続タブ部
８６  中継端子収容部（収容部）
【図１】
2016024862.tif 000003
【図２】
2016024862.tif 000004
【図３】
2016024862.tif 000005
【図４】
2016024862.tif 000006
【図５】
2016024862.tif 000007
【図６】
2016024862.tif 000008
【図７】
2016024862.tif 000009
【図８】
2016024862.tif 000010
【図９】
2016024862.tif 000011
【図１０】
2016024862.tif 000012
【図１１】
2016024862.tif 000013
【図１２】
2016024862.tif 000014
【図１３】
2016024862.tif 000015
【図１４】
2016024862.tif 000016
【図１５】
2016024862.tif 000017
【図１６】
2016024862.tif 000018
【図１７】
2016024862.tif 000019